(57)【要約】【課題】凹凸パターンを有する光学部材を製造する際に、精度よい凹凸を形成することができるとともに当該凹凸パターンの表面の少なくとも一部にさらに微細な凹凸を形成することができる光学部材用版の製造方法を提供する。【解決手段】原版の作製は、基板、及びレジスト層を有する原版作製用積層体のレジスト層に対して露光する工程と、露光した部位又は露光しなかった部位におけるレジスト層を除去してレジストパターンとする工程と、を有し、露光をする工程では、レジストへの入射光と該入射光が反射して戻る反射光とを干渉させて定在波を形成させるように露光を行い、電鋳は、原版をエッチングすることなくレジストパターン側の面に無電解メッキ層を電鋳により積層する工程と、無電解メッキ層に電解メッキ層を積層させる工程と、を含む。【選択図】図２
2016068266.tif 000002
【特許請求の範囲】
【請求項１】
光学部材を作製するための版を製造する方法であって、
原版を作製して、該原版に対して電鋳を行うものであり、
前記原版の作製は、
基板、及びレジスト層を有する原版作製用積層体の前記レジスト層に対して前記光学部材の凹凸パターンに基づいて露光する工程と、
露光した部位又は露光しなかった部位における前記レジスト層を除去してレジストパターンとする工程と、を有し、
前記露光をする工程では、前記レジストへの入射光と該入射光が反射して戻る反射光とを干渉させて定在波を形成させるように露光を行い、
前記電鋳は、
前記原版をエッチングすることなく前記レジストパターン側の面に無電解メッキ層を電鋳により積層する工程と、
前記無電解メッキ層に電解メッキ層を積層させる工程と、を含む、光学部材用版の製造方法。
【請求項２】
前記原版作製用積層体には、前記基板と前記レジスト層との間に中間層が設けられている請求項１に記載の光学部材用版の製造方法。
【請求項３】
請求項１又は２に記載の光学部材用版の製造方法により光学部材用版を作製する工程と、
作製された前記光学部材用版をロールに巻きつける工程と、とを含む、光学部材用ロール版の製造方法。
【請求項４】
凹凸パターンが形成された光学部材であって、
前記凹凸パターンの表面の少なくとも一部にさらに波状の凹凸が形成されている、光学部材。
【請求項５】
前記波状の凹凸は、前記凹凸パターンのうち凹部に面する凸部の表面に形成されている請求項４に記載の光学部材。
【発明の詳細な説明】
【技術分野】
【０００１】
本発明は、表面に凹凸を有する光学部材を作製するための型である光学部材用版を製造する方法、光学部材用ロール版の製造方法、及び光学部材に関する。
【背景技術】
【０００２】
表示装置の多様化によりテレビ等は画面が大きくなる一方、携帯型の端末ではその性質上、画面はある程度の大きさに抑えられる。ただし、小さな画面であっても表示される画像の質は高いものが要求される。そのため、用いられる光学部材にはより微細な凹凸が形成され、その屈折や反射を利用して所望の光が出射されて質の向上が図られる。
【０００３】
このような光学部材を量産する方法の１つとして例えば特許文献１に記載のように、光学部材の凹凸に対応した凹凸を表面に有するロール状の型（ロール版）を用いる形態がある。これはロール版の表面に硬化前の樹脂を供給して硬化させてから離型するというものである。これによりロール版の表面に形成された凹凸が樹脂に反転して転写されて所望の凹凸を得ることができる。
【０００４】
また特許文献２には、光学部材の凹凸に対応した凹凸を表面に有するシート状の型（版）を準備し、複数のシート状の型（版）をロールに巻き付け、隣り合うシート状の型同士は接合される形態のロール版が開示されている。ロール版を形成した後は上記と同様にして光学部材を得ることができる。
【先行技術文献】
【特許文献】
【０００５】
【特許文献１】特開２０１２−００６１７７号公報
【特許文献２】特開２００８−２９６４６６号公報
【発明の概要】
【発明が解決しようとする課題】
【０００６】
上記のように、携帯型の端末の画面は小さいものの、出射光の質を高める観点から光学部材の表面に形成される凹凸がより微細となる傾向にある。
しかしながら、特許文献１に開示されたロール版では凹凸のパターンを切削により形成するので、微細な凹凸形状を精度よく形成することができない場合がある。
【０００７】
一方、特許文献２に記載のようなシート状の型（版）をロールに巻いたロール版では、当該シート状の型（版）を作製する際にエッチングを用いるので、エッチング方向の指向性制御に限界があり、凹凸形状の精度を高める要望がある。
また、形成された凹凸形状の表面にさらに微細な凹凸を設けることで所望の光学的特性を得たい場合にこのような微細な凹凸を形成することができなかった。
【０００８】
そこで本発明は上記問題を鑑み、凹凸パターンを有する光学部材を製造する際に、精度よい凹凸を形成することができるとともに当該凹凸パターンの表面の少なくとも一部にさらに微細な凹凸を形成することができる光学部材用版の製造方法を提供することを課題とする。また当該光学部材用版による光学部材用ロール版の製造方法、及び光学部材を提供する。
【課題を解決するための手段】
【０００９】
以下、本発明について説明する。わかりやすさのため、ここでは括弧書きで図面の参照符号を付記するが、本発明はこれに限定されるものではない。
【００１０】
請求項１に記載の発明は、光学部材（１０）を作製するための版を製造する方法であって、原版（３５）を作製して、該原版に対して電鋳を行うものであり、原版の作製は、基板（３０）、及びレジスト層（３２）を有する原版作製用積層体（３３）のレジスト層に対して光学部材の凹凸パターンに基づいて露光する工程と、露光した部位又は露光しなかった部位におけるレジスト層を除去してレジストパターンとする工程と、を有し、露光をする工程では、レジストへの入射光と該入射光が反射して戻る反射光とを干渉させて定在波を形成させるように露光を行い、電鋳は、原版をエッチングすることなくレジストパターン側の面に無電解メッキ層（３６）を電鋳により積層する工程と、無電解メッキ層に電解メッキ層（３７）を積層させる工程と、を含む、光学部材用版の製造方法である。
【００１１】
請求項２に記載の発明は、請求項１に記載の光学部材用版（２２）の製造方法において、原版作製用積層体（３３）には、基板（３０）とレジスト層（３２）との間に中間層が設けられている。
【００１２】
請求項３に記載の発明は、請求項１又は２に記載の光学部材用版の製造方法により光学部材用版を作製する工程と、作製された光学部材用版（２２）をロールに巻きつける工程と、とを含む、光学部材用ロール版（２０）の製造方法である。
【００１３】
請求項４に記載の発明は、凹凸パターンが形成された光学部材（１０）であって、凹凸パターンの表面の少なくとも一部にさらに波状の凹凸（１３ｃ）が形成されている、光学部材である。
【００１４】
請求項５に記載の発明は、請求項４に記載の光学部材（１０）において、波状の凹凸（１３ｃ）は、凹凸パターンのうち凹部（１３ｂ）に面する凸部（１３ａ）の表面に形成されている。
【発明の効果】
【００１５】
本発明によれば、光学部材用版を作製するに際し、凹凸パターンを形成するときにエッチングをする必要がないので、エッチング特有の形状精度の低下を防止することができ、高い精度の凹凸パターンを有する版を提供することができる。
また、版の製造のとき、レジストを露光した際に生じた定在波に起因する未露光部と露光部との波状の界面による凹凸を利用して凹凸パターンの表面の少なくとも一部に微細な波状の凹凸を効率よく形成することができる。
そして、光学部材においては、凹凸パターンの表面の少なくとも一部に形成された微細な波状の凹凸により光を制御して所望の性能を有するものとなる。
【図面の簡単な説明】
【００１６】
【図１】図１（ａ）は光学部材１０の平面図、図１（ｂ）は光学部材１０の一部の断面図である。
【図２】図１（ｂ）の一部を拡大した図である。
【図３】ロール版２０の斜視図である。
【図４】図４（ａ）は光学部材用版２２の平面図、図４（ｂ）はその一部を拡大した図である。
【図５】図５（ａ）、図５（ｂ）は光学部材用版２２を作製する場面を説明する図である。
【図６】露光による波状の凹凸の形成について説明する図である。
【図７】図７（ａ）は原版３５を説明する図、図７（ｂ）は図７（ａ）の一部を拡大した図である。
【図８】図８（ａ）〜図８（ｃ）は電鋳について説明する図である。
【図９】ロール２１に光学部材用版２２を巻きつける場面を説明する図である。
【図１０】賦形シート４０を説明する図である。
【図１１】ロール版２０により賦形シート４０を作製する過程の一場面を説明する図である。
【図１２】賦形シート４０を用いて光学部材１０を作製する過程の一場面を説明する図である。
【図１３】他の形態の光学部材１１０を説明する図である。
【図１４】光学部材１１０を作製する過程の一場面を説明する図である。
【発明を実施するための形態】
【００１７】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため繰り返しとなる符号は省略することがある。
【００１８】
初めに、光学部材１０について説明する。光学部材１０は後述する光学部材用版２２を含むロール版２０を用いて製造される光学部材であり、シート状の光学部材である。ここで光学部材としては例えば導光板、プリズムシート、レンズシート、回折構造体、モスアイ構造体等、表面に形成された凹凸により光を制御する光学部材全般を対象にすることができる。
図１（ａ）は光学シート１０の平面図、図１（ｂ）は図１（ａ）にＩａ−Ｉａで示した矢視断面図である。図１（ａ）、図１（ｂ）には光学シート１０の「長手方向」、「幅方向」、及び「厚さ方向」もそれぞれ表している。また、図２には図１（ａ）にＩＩで示した部分を拡大した図を示した。
【００１９】
光学部材１０は光制御層１２を有しており、該光制御層１２は光透過性を有するシート状の部材である。また、光制御層１２は、その少なくとも一方の面には凹凸が形成され、凹凸パターン１３とされている。
【００２０】
本形態の凹凸パターン１３では、図１（ａ）、図１（ｂ）からわかるように微小な凹凸が繰り返され、凹凸パターンが形成されている。例えば、凹凸パターン１３では、矩形断面の凸部１３ａと矩形断面の凹部１３ｂとが長手方向に繰り返され、この断面を維持して光制御層１２の幅方向に一次元的に延びている。この凹凸は微細に形成されており、凹部の深さは０．５μｍ以上３．０μｍ以下程度である。凹部の底幅及び凸部の頂部幅は１μｍ以上３０μｍ以下程度とされる。例えば凸形状の場合には凹部の底幅は５μｍ以上３０μｍ以下、凸部の頂部幅は１μｍ以上１０μｍ以下に形成され、凹形状の場合には凸部の頂部幅が５μｍ以上３０μｍ以下、凹部の底幅は１μｍ以上１０μｍ以下に形成される。
【００２１】
凹凸部の形状は本形態に限られることなく、他の形態が適用されたり、複数の態様が複合して用いられたりしてもよい。他の形態の凹凸部としては例えば、所定の断面を有して光制御層の幅方向に対して斜めになるように延びる形態、複数の錐状の凸部が平面視で縦横に配列されるような二次元的な形状を有する形態、等を挙げることができる。
【００２２】
さらに本形態では凹凸パターンの凸部１３ａのうち凹部１３ｂに面する表面に図２に示したようにさらに微細な波状の凹凸１３ｃが形成されている。このような波状の凹凸１３ｃによりここに到達した光を拡散することができ、光を所望の態様に制御することが可能となる。
波状の凹凸１３ｃの具体的な形状は特に限定されることはないが、例えばピッチ２００ｎｍ、高低差５０ｎｍ程度の波状の凹凸とすることもできる。
【００２３】
光制御層１２を構成する材料としては種々の材料を使用することができる。ただし、光学部材用の材料として広く使用され、優れた機械的特性、光学特性、安定性および加工性等を有するとともに安価に入手可能な材料を用いることができる。これには例えば脂環式構造を有する重合体樹脂、メタクリル樹脂、ポリカーボネート、ポリスチレン、アクリロニトリル−スチレン共重合体、メタクリル酸メチル−スチレン共重合体、ＡＢＳ樹脂、ポリエーテルスルホン等の熱可塑性樹脂や、エポキシアクリレートやウレタンアクリレート系の反応性樹脂（電離放射線硬化型樹脂等）等を挙げることができる。
【００２４】
次に、以上のような光学部材１０を形成する際に用いる賦形シート４０を作製するためのロール版２０について説明する。図３はロール版２０の外観を概略的に示した斜視図である。また、図４（ａ）はロール版２０に備えられる光学部材用版２２の平面図、図４（ｂ）はその一部を拡大して表した図である。
図３からわかるように、ロール版２０は、ロール２１及び光学部材用版２２を有して構成されている。
【００２５】
ロール２１は円柱状のロール本体２１ａ及びロール本体２１ａの端面から軸線に沿って突出する回転軸２１ｂを有している。これによりロール２１は、回転軸２１ｂが支持されて、該回転軸２１ｂを中心に回動するように構成されている。
ロール本体２１ａは、剛性を確保するための部位で、ロール版２０の大部分を構成している。かかる観点からロール本体２１ａは、機械構造用の鉄系材料が用いられることが好ましい。また、必要な剛性を確保しつつも軽量化をする観点から、ロール本体２１ａは両側が有底である円筒状であってもよい。また、ロール本体２１ａの表面の温度調節ができるようにロール本体内部に冷水や温水、蒸気または高温の油を循環できるように２重構造にするのが一般的である。
【００２６】
光学部材用版２２は、賦形シート４０に対して光学部材１０の凹凸パターン１３に対応する凹凸形状を転写する型として機能する版であり、本形態ではシート状である。図４（ａ）には光学部材用版２２をロール本体２１ａから外して展開した平面図を示した。また、図４（ｂ）には図４（ａ）にＩＶｂで示した部分を拡大して表した。
【００２７】
光学部材用版２２にはこれら図からわかるように、その表面に縦横に複数の単位型部２２ａが配列され、これらは継ぎ目なく並べられている。図には隣り合う単位型部２２ａの境界を点線で表したが、これは理解しやすくするためのものであり、継ぎ目ではない。すなわち光学部材用版２２は接合部を有さずに一体である一枚のシートである。従って隣り合う単位型部２２ａ間には段差や意図しない位置ずれが生じることがなく、単位型部２２ａの正確な配置ができる。そして光学部材用版２２の大きさはその一辺が８００ｍｍ以上１５００ｍｍ以下であることが好ましい。これにより、１つの光学部材用版に多くの単位型部２２ａを含ませることができるとともに、ロール２１の外周を一周させることができる。
【００２８】
各単位型部２２ａには、図４（ｂ）からわかるように、光学部材１０の凹凸パターン１３の形状に対応した凹凸が形成されている。
【００２９】
このような光学部材用版２２は電鋳板により構成することができる。詳しくは後でその製造方法を説明するが、電解ニッケルメッキ層上に無電解ニッケルメッキ層が形成された積層体により構成されており、無電解ニッケルメッキ層の表面に凹凸が形成されている。ここではニッケルによる電解メッキ層及び無電解メッキ層で説明するが、他の材料によるものであってもよい。
なお、光学部材用版２２には位置決めのためのアライメントマークを設けておくことが好ましい。このアライメントマークも転写されて、光学部材１０の打ち抜きの際の位置決めの基準となる。
【００３０】
そしてロール２１の外周面に光学部材用版２２を巻きつけて固定することによりロール版２０となる。本形態では上記のように光学部材用版２２には継ぎ目が存在しないので、ロール版２０とされたときには図３に示したように継ぎ目は端部同士が突き合わされた突き合わせ部２３が唯一の継ぎ目となる。
【００３１】
次に光学部材用版２２の作製方法について説明する。図５（ａ）〜図５（ｂ）、図６、図７（ａ）〜図７（ｂ）、図８（ａ）〜図８（ｃ）に作製の順を追った図を表した。
初めに、図５（ａ）に示したように、ガラス、金属、セラミック、合成石英、プラスチック等により構成された、必要な強度、面精度を有する基板３０上にレジスト層３２を薄膜状に形成し、これを原版作製用積層体３３とする。レジストとしては、公知のものを用いることができるが、例えばナガセケムテックス株式会社製のＧＲＸ−Ｍ２２０やＧＲＸ−Ｍ１００が挙げられる。
【００３２】
次に図５（ｂ）に示したように、レジスト層３２に対して光学部材１０の凹凸パターン１３に基づいたパターンで露光する。この露光方法は特に限定されないが、本形態ではレーザービームＬの走査により露光を行っている。この他電子線の走査をしてもよい。この露光によりレジスト層３２を構成するレジスト樹脂が硬化した易溶化部分３２ａと、未露光部分３２ｂとが形成される。図６には、図５（ｂ）のうち１つの易溶化部分３２ａとこれに隣接する未露光部分３２ｂを拡大して両者の界面について説明する図を表した。
【００３３】
図６からわかるように、露光の光Ｌ１をレジストに照射すると、その入射光Ｌ１と、基板３０からの反射光Ｌ２が干渉し、定在波を生じさせることができる。この定在波により、易溶化部分３２ａと、未露光部分３２ｂとの界面には微小な波状の凹凸が形成される。すなわち、このまま易溶化部分３２ａのレジストを除去すれば残存した未露光部分３２ｂのレジストには当該波状の凹凸が残り、光学部材１０の波状の凹凸１３ｃに対応した形態を形成できる。
形成する波状の凹凸の形状は定常波の形状によるので、定常波の形状を調整することにより波状の凹凸も所望の形状とすることができる。定常波の形状は露光のための光の波長及びレジスト層の厚さに関係することから、これらを調整することにより定常波の形状を制御することができる。ただし、露光のための光はレジストに易溶化部分（又は硬化部分）を形成する必要があるので、露光のための光の波長はこのような効果がある範囲内で決定される。
【００３４】
そして当該露光の後、図７（ａ）に示したように現像液を噴霧して行なうスプレー現像等によって、現像して易溶化部分３２ａを除去し、未露光部分３２ｂによりパターン化されたレジストパターン３４を得る。そして当該基板３０及び該基板３０の一方の面に形成されたレジストパターン３４による積層体が原版３５である。そして当該原版３５から光学部材用版２２を作製する。
【００３５】
図７（ｂ）には図７（ａ）にＶＩＩｂで示した範囲を拡大した図を表した。この図からわかるように、上記説明した定在波に基づいてレジストパターン３４のうち凹部に面した凸部（未露光部分３２ｂ）の壁に、光学部材１０の凸部１３ａに形成された波状の凹凸１３ｃに対応する波状の凹凸部が形成されている。
【００３６】
なお、ここまでの説明では露光された部分が除去される、いわゆるポジレジストによる過程を説明したが、レジスト材料を変更することにより、露光された部分が残り、露光されなかった部分が除去されるネガレジストによる過程が採用されてもよい。
【００３７】
ここまでの過程は、いわゆるラージサイズフォトマスク（ＬＳＰＭ）による微細形状形成により行われることが好ましい。
以上の説明からわかるように本発明ではレジストに形成されたパターンを直接、光学部材用版の作製に用いることから、当該パターンを得る際に、従来のフォトマスクの手法のパターン形成で行われていたエッチングを必要としない。これにより本発明ではエッチング特有の意図しない方向への材料の除去によるパターン形状の精度低下を防止できる。また、エッチングの工程を要しないので精度よく、工程を短縮して簡易に光学部材用版を作製することができる。
また、光学部材の凹凸パターンの表面に設けられる波状の凹凸に対応する部位をレジスト露光時の光の干渉による定在波を利用して形成することができるので、このような微細な加工を効率よく確実に行うことが可能となる。
【００３８】
なお、本形態では基板３０に直接レジスト層３２を積層する例を説明したが、基板とレジスト層との間にレジスト層の密着性を高める中間層を配置してもよい。例えば基板をガラス（クォーツ）とした場合に、レジスト層との間にクロム層を設ける形態であれば従来のエッチングを含むフォトレジスト用の積層体をそのまま適用でき、層間の密着性も高いので汎用性が高い。
【００３９】
次に得られた原版３５を用いて電鋳により光学部材用版２２を作製する。
初めに図８（ａ）に示したように、原版３５のうち、レジストパターン３４が形成された側に無電解ニッケルメッキ層３６を電鋳により形成する。このとき無電解ニッケルメッキ層３６は、１０ｎｍ以上１μｍ以下の厚みがよい。
次いで図８（ｂ）に示したように、無電解ニッケルメッキ層３６の上に電解ニッケルメッキ層３７を電鋳により形成する。このとき電解ニッケルメッキ層３７により、無電解ニッケルメッキ層３６と電解ニッケルメッキ層３７との総厚みが０．３ｍｍ程度となるように電解ニッケルメッキ層３７を形成する。
そして、図８（ｃ）に示したように原版３５を剥離することにより光学部材用版２２を得る。
【００４０】
ここでは、レジストパターンを備える原版３５に対して直接電鋳をおこなうことで光学部材用版２２を作製する方法を説明した。ただしこれに限らず、原版３５に基づいて最終的に光学部材用版２２を得ることができれば他の方法であってもよい。例えば、原版に対してそのレジストパターン側に紫外線硬化樹脂を供給した後、紫外線を照射させて硬化、離型して紫外線硬化樹脂によるパターンが形成された版（逆版）を得てもよい。そして当該紫外線硬化樹脂による版に対して電鋳を行い光学部材用版を作製する。このように原版に基づいて最終的に光学部材用版を作製するに際してその間に中間的な版の作製を介在させることもできる。
【００４１】
以上示した光学部材用版２２の製造方法によれば、上記したようにエッチングを要しないので、エッチング特有の意図しない方向への材料の除去を防止することができ、凹凸形状を精度よく作製することができる。また、エッチングをする工程を設ける必要がないので工程の短縮、及びコストの削減も可能である。
また単位型部２２ａを縦横に複数配列して形成しても、単位型部２２ａ間に継ぎ目が形成されず、段差やずれが発生しない光学部材用版２２を容易に確実に作製することができる。
【００４２】
さらに露光の工程でレジストに生じる波状の凹凸を利用して光学部材用版２２に波状の凹凸を形成するので、微細であっても効率よく確実に形状を作ることができる。
【００４３】
以上のように作製された光学部材用版２２は、図９に示したようにロール本体２１ａに巻き付けられ、ロール版２０（図２参照）とされる。
【００４４】
次に、上記ロール版２０を用いて、光学部材１０を製造する方法を説明する。図１０〜図１２に説明のための図を示した。本形態では、押し出し法により光学部材１０を製作するに先立ち、凹凸パターン１３の形状を賦形できる賦形シート４０を作製する。図１０に賦形シート４０の形態を概念的に斜視図で示した。
【００４５】
賦形シート４０は上記のように光学部材１０の凹凸パターン１３の形状を賦形できる帯状のシートである。賦形シート４０は透光性を有する基材４１、及び基材４１の一方の面に積層された型部４２を有して構成されている。そして型部４２には、光学部材１０の１つの凹凸パターン１３を形成するための単位型部４２ａが複数縦横に配列されている。
【００４６】
このような賦形シート４０は次のように作製される。図１１に説明のための図を示した。図１１に示したように、準備されたロール版２０と金型ニップロール４５との間に、図１１に矢印ＸＩで示したように基材４１を送り出す。そして基材４１上に硬化する前の紫外線硬化樹脂組成物４２’をノズル４６から供給する。これにより基材４１とロール版２０との間に硬化前の紫外線硬化樹脂４２’が充填される。これにより硬化前の紫外線硬化樹脂組成物４２’がロール版２０の光学部材用版２２に形成された凹凸に充填される。
このように充填された状態で、紫外線照射装置４７から紫外線が照射され、紫外線硬化樹脂組成物が硬化して型部４２となる。その後、剥離ロール４８により離型して賦形シート４０を得る。得られた賦形シート４０は巻き取られてロール状とされる。
【００４７】
次に、賦形シート４０を用いて押し出し法により光学部材１０を得る。図１２に説明のための図を示した。
第一ロール５１と、該第一ロール５１に対して所定の間隙を有して配置される第二ロール５２との間に図１２に矢印ＸＩＩで示したように賦形シート４０を順次送り出し、賦形シート４０と第二ロール５２との間に溶融した熱可塑性樹脂組成物５５をノズル５６から流入させる。ここで賦形シート４０の送り方向は帯状である賦形シート４０の長手方向である。また、流入される熱可塑性樹脂組成物５５は第二ロール５２及び賦形シート４０の幅方向大きさと同程度の大きさ（幅）を有する帯状であることが好ましい。これにより幅方向に均一な材料供給が可能である。
【００４８】
供給された熱可塑性樹脂は第二ロール５２と賦形シート４０との間に所定の圧力を具備しつつ流入する。これにより熱可塑性樹脂が賦形シート４０の型部４２の表面に形成された凹凸に充填され、熱可塑性樹脂組成物５５がこの凹凸に沿った形状となる。そして第三ロール５３、及び第四ロール５４を経て冷却され、最終的に熱可塑性樹脂組成物５５が硬化して形状が固定される。これにより光学部材１０が縦横に継ぎ目なく配列された光学部材用帯状シート１０’を得る。そして剥離ロール５７により光学部材用帯状シート１０’と賦形シート４０とが分離される。
この状態では光学部材用帯状シート１０’にはアライメントマークも含まれていることが好ましい。
【００４９】
最終的に光学部材用帯状シート１０’の打ち抜きや切断により光学部材１０を得ることができる。その際にはアライメントマークが位置決めの基準となる。
【００５０】
このようにして作製された光学部材１０はその凹凸自体の精度、及び位置精度が高く、所望の光制御を精度良く行うことができる。
【００５１】
図１３には他の形態の光学部材１１０を示した。図１３は図１（ｂ）と同じ視点による図である。光学部材１１０は、上記説明した光制御層１２が基材１１の一方の面に積層された２層の構造となっている。光制御層１２の構造は上記の通りである。
【００５２】
基材１１は、該基材１１の一方の面に光制御層１２を形成するための基材となる光透過性を有するシート状の部材である。このような基材１１を構成する材料としては、ポリカーボネート（ＰＣ）樹脂、ポリエチレンテレフタレート（ＰＥＴ）樹脂、メタクリル酸メチル・ブタジエン・スチレン（ＭＢＳ）樹脂、メタクリル酸メチル・スチレン（ＭＳ）樹脂、アクリル・スチレン（ＡＳ）樹脂、及びアクリロニトリル・ブタジエン・スチレン樹脂（ＡＢＳ）等が挙げられる。
【００５３】
光学部材１１０は次のように製造することができる。すなわち、上記したロール版２０と同じ要領により、直接光学部材１１０の凹凸パターン１３を形成できる凹凸を有するロール版１２０を作製する。そして当該ロール版１２０を用いて図１４に示したように基材１１上に光制御層１２を積層する。
【００５４】
すなわち、図１４に示したように、準備されたロール版１２０と金型ニップロール４５との間に、図１４に矢印ＸＩＶで示したように基材１１を送り出す。そして基材１１上に硬化する前の紫外線硬化樹脂組成物１２’をノズル４６から供給する。これにより基材１１とロール版１２０との間に硬化前の紫外線硬化樹脂１２’が充填される。これにより硬化前の紫外線硬化樹脂組成物１２’がロール版１２０に形成された凹凸に充填される。
このように充填された状態で、紫外線照射装置４７から紫外線が照射され、紫外線硬化樹脂組成物が硬化して光制御層１２となる。その後、剥離ロール４８により離型する。これにより光学部材１１０が縦横に継ぎ目なく配列された光学部材用帯状シート１１０’を得る。
この状態では光学部材用帯状シート１１０’にはアライメントマークも含まれていることが好ましい。
【００５５】
最終的に光学部材用帯状シート１１０’の打ち抜きや切断により光学部材１１０を得ることができる。その際にはアライメントマークが位置決めの基準となる。
【符号の説明】
【００５６】
１０  光学部材
１１  基材
１２  光制御層
１３  凹凸パターン
１３ａ  凸部
１３ｂ  凹部
１３ｃ  波状の凹凸
２０  光学部材用ロール版
２１  ロール
２２  光学部材用版
３０  基板
３２  レジスト層
３３  原版作製用積層体
３４  レジストパターン
３５  原版
３６  無電解ニッケルメッキ層（無電解メッキ層）
３７  電解ニッケルメッキ層（電解メッキ層）
【図１】
2016068266.tif 000003
【図２】
2016068266.tif 000004
【図３】
2016068266.tif 000005
【図４】
2016068266.tif 000006
【図５】
2016068266.tif 000007
【図６】
2016068266.tif 000008
【図７】
2016068266.tif 000009
【図８】
2016068266.tif 000010
【図９】
2016068266.tif 000011
【図１０】
2016068266.tif 000012
【図１１】
2016068266.tif 000013
【図１２】
2016068266.tif 000014
【図１３】
2016068266.tif 000015
【図１４】
2016068266.tif 000016